(57)【要約】【課題】蓋体を容器本体に確実に固定することができ、取り扱いが安全な固定具を有する蓋付き容器を提供することにある。  【解決手段】、容器本体と蓋体とが蝶番によって連結され、蝶番とは反対側において容器本体に軸着された固定具によって蓋体を固定する容器であって、前記固定具は、ベース部に折り曲げ部を介して係合部を連設することによって略逆Ｌ字状に形成し、係合部には突部を形成するとともに、先端を起立させて狭幅の指掛け部を設け、ベース部と係合部の側端縁には折り返し片を設けて折り畳んでなり、蓋体の上面端縁部には前記突部が係合する凹部を形成したことを特徴とする。前記指掛け部は、起立させた先端部に形成したカールによって構成することが好ましい。【選択図】図３
0003114695.tif 000002
【実用新案登録請求の範囲】
【請求項１】
容器本体と蓋体とが蝶番によって連結され、蝶番とは反対側の容器本体に軸着された固定具によって蓋体を固定する蓋付き容器であって、前記固定具は、ベース部に折り曲げ部を介して係合部を連設して略逆Ｌ字状に形成し、係合部には突部を形成するとともに、先端を起立させて狭幅の指掛け部を設け、ベース部と係合部の側端縁は折り返し片を設けて折り畳んでなり、蓋体の上面端縁部には前記突部が係合する凹部を形成したことを特徴とする蓋付き容器。
【請求項２】
指掛け部は、起立させた先端部にカールを形成してなることを特徴とする請求項１に記載の蓋付き容器。
【請求項３】
容器本体、蓋体及び固定具は、金属製であることを特徴とする請求項１又は２に記載の蓋付き容器。
【請求項４】
蓋体の上面周縁部は、上面を突出させる傾斜面によって形成されており、前記傾斜面に凹部が形成されていることを特徴とする請求項１〜３のいずれか１項に記載の蓋付き容器。
【考案の詳細な説明】
【技術分野】
【０００１】
この考案は、蓋付き容器に係り、特にクッキー、チョコレート等の収納に好適な金属製の蓋付き容器に関するものである。
【背景技術】
【０００２】
箱型状容器本体の上部開口部に嵌着する蓋体を固定するには、容器本体に回動自在に軸支してなる略Ｌ字状掛け止め体の先端部を蓋体の上面に係止させる構造のものが知られている。これらの掛け止め体は、支点軸を中心にして回動させるだけで確実にロック状態とすることができるばかりでなく、開蓋時には容易にロック状態を解除することができる必要がある。
【０００３】
このような容器に、例えば、特開２００１−２５３４５５号公報及び特開２００４−１１５０６７号公報記載のものがある。特開２００１−２５３４５５号公報記載の容器は、逆Ｌ字状の固定具が容器本体の側壁の外面に取着されており、固定具には把手が一体に設けられている。蓋体は、前記固定具によって容器本体に封止可能であり、固定具に設けた把手により容易に移動させることができる。しかしながら、把手が外方に突出しているために、互いに側壁を接触させた状態で並べることができないとともに、把手が破損するおそれがある。また、蓋体の周縁には、固定具を係止させるための突部を形成する必要がある。
【０００４】
一方、特開２００４−１１５０６７号公報記載の容器は、パッチン錠であって、固定体と付属体に分離し、付属体の掛け止め部を蓋体の周縁突部に係止するようにしたものである。しかしながら、掛け止め部を有する付属体は、固定体から分離されており操作が面倒である。また、蓋体の周縁には、掛け止め部を係止させるための突部を形成する必要がある。
【特許文献１】特開２００１−２５３４５５号公報
【特許文献２】特開２００４−１１５０６７号公報
【考案の開示】
【考案が解決しようとする課題】
【０００５】
解決しようとする問題点は、上記公知の容器は、固定具が外方に突出して嵩張ることによって邪魔になる不便さがあり、金属製とした場合には安全に操作できない点である。そこで、この考案の目的は、蓋体を容器本体に確実に固定することができ、取り扱いが安全な固定具を有する蓋付き容器を提供することにある。
【課題を解決するための手段】
【０００６】
この考案に係る蓋付き容器は、容器本体と蓋体とが蝶番によって連結され、蝶番とは反対側において容器本体に軸着された固定具によって蓋体を固定する容器であって、前記固定具は、ベース部に折り曲げ部を介して係合部を連設することによって略逆Ｌ字状に形成し、係合部には突部を形成するとともに、先端を起立させて狭幅の指掛け部を設け、ベース部と係合部の側端縁には折り返し片を設けて折り畳んでなり、蓋体の上面端縁部には前記突部が係合する凹部を形成したことを特徴とする。
前記指掛け部は、起立させた先端部に形成したカールによって構成することが好ましい。また、容器本体、蓋体及び固定具は、金属製であってもよい。さらに、蓋体の上面周縁部は、上面を突出させる傾斜面によって形成されており、前記傾斜面に固定具の突部が係合する凹部が形成されている構成とすることが好ましい。
【考案の効果】
【０００７】
この考案に係る容器の固定具は、外方に湾曲させて形成しているために嵩張って邪魔になることがない。また、固定部は金属板によって形成した場合でも、縁部に折り返し片を設け、先端の指掛け部はカールさせて形成しているために取り扱い中に手を切るなどの危険はない。
【考案を実施するための最良の形態】
【０００８】
次に、この考案に係る容器の実施形態を図面に基づいて説明する。容器１は、箱型状容器本体２と、前記容器本体２の上部開口部に嵌着する蓋体３とからなり、ともに金属板によって形成されている。図示する実施形態では、前記容器本体２と蓋体３はともに平面方形状の箱型に形成されているが、これに限定されるものではなく、平面多角形状あるいは円形状、楕円形状に形成することもできる。
【０００９】
前記容器本体２の上端縁には内側へのカール２１が形成されており、蓋体３の下端縁には外側へのカール３１が形成されている。容器本体２と蓋体３とは、一側面上部に設けた蝶番４によって開閉自在に連結されており、前記蝶番４とは反対側に設けられた固定具５によって蓋体３を閉じた状態で固定するようになっている。
【００１０】
蓋体３の上面周縁部には、上面を突出させるように傾斜面３２が形成されており、前記傾斜面３２には、後述するように、固定具５が係合する部分には凹部３３が形成されている。前記凹部３３によって蓋体３を閉じた状態で確実に固定することができる。
【００１１】
前記固定具５は、図２以下に示すように、ベース部５１と係合部５２とからなる側面視略逆Ｌ字状体に形成されており、ベース部５１の下端部に設けた回動軸５３が容器本体２に設けた軸受２２に軸着してなる。前記ベース部５１と係止部５２は、折り曲げ部５４を介して連続しており、この折り曲げ部５４によってバネ作用が生じ、蓋体３に確実に係合することができる。
【００１２】
ベース部５１の略中間部にも折り曲げ部５５が設けられており、わずかに外側に湾曲している。また、ベース部５１と係合部５２の側端縁は、図４及び図５に示すように、折り返し片５６を設けて折り畳まれている。したがって、固定具５を金属板によって形成した場合にも、側端縁は丸みを帯びているので手を切るなどの危険性はない。
【００１３】
さらに、固定具５の係合部５２の略中央部には突部５７が形成されており、係合部５２の先端を起立させて狭幅の指掛け部５８が形成されている。前記突部５７は、上記蓋体３の傾斜面３２に形成した凹部３３に係合することによって、十分な係合強度で閉蓋しておくことができる。
【００１４】
また、係合部５２の先端に形成した指掛け部５８は、起立させた先端部をカール５８ａとすることによって形成されている。指掛け部５８をカール５８ａとすることによって、固定具５を解除するときに指を確実にしかも安全に引っ掛けることができる。
【００１５】
次に、上記構成に係る容器の使用方法について説明すると、固定具５が解除されているときは、蓋体３は蝶番４を支点にして開くことができる。開いた蓋体３を回動させて閉じると、容器本体２の上端部が蓋体３に嵌合する。
【００１６】
その後、固定具５を回動軸５３を支点にして上方に回動させると、係合部５２が傾斜面３２に当接するとともに、そのまま押圧すれば突部５７が凹部３３に係合する。
【００１７】
固定部５には、折り曲げ部５４とともに、ベース部５１にも折り曲げ部５５が形成されているから、両折り曲げ部が相俟って弾性変形によるバネ作用を有する。しかも、ベース部５１と係合部５２の側端縁に設けた折り返し片によって、バネ作用が強められる。したがって、固定具５は、軽く押圧するだけで、蓋体３に係合させることができるばかりでなく、係合状態を確実に保持することができる。
【図面の簡単な説明】
【００１８】
【図１】この考案にかかる蓋付き容器の全体の斜視図である。
【図２】同じく蓋を閉じた状態の一部を省略した断面図である。
【図３】同じく蓋を開いた状態の一部を省略した断面図である。
【図４】固定具の正面図である。
【図５】固定具の斜視図である。
【符号の説明】
【００１９】
１：容器
２：容器本体
２１：カール
２２：軸受
３：蓋体
３１：カール
３２：傾斜面
３３：凹部
４：蝶番
５：固定具
５１：ベース部
５２：係合部
５３：回動軸
５４：折り曲げ部
５５：折り曲げ部
５６：折り返し片
５７：突部
５８：指掛け部
５８ａ：カール
【図１】
0003114695.tif 000003
【図２】
0003114695.tif 000004
【図３】
0003114695.tif 000005
【図４】
0003114695.tif 000006
【図５】
0003114695.tif 000007